(57)【要約】      （修正有）【課題】伝統的な白装束による宗教的な効果を保ちつつ遺族感情にも配慮した仏衣を提供する。【解決手段】仏衣１の襟部分５には、中心位置（身頃部分の背縫に対応した位置）から前左身頃２に対応した左側部分５ａに第一図柄模様８が刺繍により形成されており、前右身頃３に対応した右側部分５ｂに第二図柄模様９が刺繍により形成されている。第一図柄模様８及び第二図柄模様９には、一連の文字列が分割して表示されている。【選択図】図１
0003155350.tif 000002
【実用新案登録請求の範囲】
【請求項１】
前身頃及び後身頃の身頃部分と、左右の袖部分と、襟部分とを少なくとも備えるとともに各部分を白色布地で形成して着物状に縫着した仏衣であって、前記襟部分の前左身頃に対応する左側部分において刺繍により形成された第一図柄模様と、前記襟部分の前右身頃に対応する右側部分において刺繍により形成された第二図柄模様とを備え、前記第一図柄模様から前記第二図柄模様にかけて一連の文字列が分割して含まれていることを特徴とする仏衣。
【請求項２】
前記第一図柄模様は、前記襟部分の長手方向の中心位置からの間隔が前記第二図柄模様よりも小さくなるように設定されており、前記第一図柄模様の前記文字列は、前記襟部分の左側部分の上に右側部分を交差するように重ね合わせた着装状態においてすべて表出する長さに設定されていることを特徴とする請求項１に記載の仏衣。
【請求項３】
前記第二図柄模様の文字列は、前記襟部分の左側部分の上に右側部分を交差するように重ね合わせた着装状態において少なくとも交差部分まで表示されるように設定されていることを特徴とする請求項１又は２に記載の仏衣。
【考案の詳細な説明】
【技術分野】
【０００１】
本考案は、仏式の葬儀等の宗教儀式において死者に着装する経帷子等の仏衣に関する。
【背景技術】
【０００２】
仏式の葬儀では、臨終から納棺までの間に、死者に対して、末期の水、湯灌、死化粧、死装束の着装といったことを執り行われ、死出の旅立ちが整えられる。死装束としては、経帷子、頭巾、上帯、手甲、脚絆、足袋といったものを用いて古来の旅立ち姿に着せ替えるのが一般的である。
【０００３】
従来の経帷子は、白色の布地を用いて縫製された着物が一般的で、死装束は白装束であることがほとんどであった。こうした伝統的な白装束は、死出の旅立ちを想定したものであるが、現代においては、遺族との今生の別れを演出する観点からみると遺族感情への配慮が足りない面があった。
【０００４】
そのため、例えば、特許文献１では、通夜から納棺に際してまで故人の遺骸に着用させる着物であって、襟合せを右前にして着せたときに、葬儀に相応しい絵、模様、図柄、家紋、宗紋、経文、故人を顕彰する語、死者の希望する文言等から選択された一種又は複数のものが着物の正面或は裾部分に看取できるようにした点が記載されている。また、特許文献２では、前身頃と後身頃と襟と両袖とを有してなり、死亡した人体に着装する経帷子において、前身頃の胸部から両袖にかけて及び襟と、後身頃の背中部から両袖にかけてとのいずれか一方に装飾の施された装飾部が設けられ、装飾部以外は白色無地とされている点が記載されている。
【先行技術文献】
【特許文献】
【０００５】
【特許文献１】特公平６−３８８２２号公報
【特許文献２】特許第３０４６２８５号公報
【考案の概要】
【考案が解決しようとする課題】
【０００６】
上述した特許文献のように、着物の正面や裾部分に模様、図柄等をデザインしたり、前見頃、後見頃、襟及び両袖に装飾部分を設けることは、日常に着装する着物のデザインと大差がなくなる。そのため、葬儀という特別な儀式において非日常性の強い白装束を用いることによる厳粛な雰囲気が得られなくなり、また、白装束により故人を特別視することで遺族との今生の別れを演出する宗教的な効果も薄れてしまう、といった欠点がある。
【０００７】
また、上述した特許文献のように柄模様を染付けで描画する場合、柄模様がパターン化し、多種類のパターンを作成するとコスト高になる。
【０００８】
そこで、本考案は、伝統的な白装束による宗教的な効果を保ちつつ遺族感情にも配慮した仏衣を提供することを目的とするものである。
【課題を解決するための手段】
【０００９】
本考案に係る仏衣は、前身頃及び後身頃の身頃部分と、左右の袖部分と、襟部分とを少なくとも備えるとともに各部分を白色布地で形成して着物状に縫着した仏衣であって、前記襟部分の前左身頃に対応する左側部分において刺繍により形成された第一図柄模様と、前記襟部分の前右身頃に対応する右側部分において刺繍により形成された第二図柄模様とを備え、前記第一図柄模様から前記第二図柄模様にかけて一連の文字列が分割して含まれていることを特徴とする。さらに、前記第一図柄模様は、前記襟部分の長手方向の中心位置からの間隔が前記第二図柄模様よりも小さくなるように設定されており、前記第一図柄模様の前記文字列は、前記襟部分の左側部分の上に右側部分を交差するように重ね合わせた着装状態においてすべて表出する長さに設定されていることを特徴とする。さらに、前記第二図柄模様の文字列は、前記襟部分の左側部分の上に右側部分を交差するように重ね合わせた着装状態において少なくとも交差部分まで表示されるように設定されていることを特徴とする。
【考案の効果】
【００１０】
本考案は、上記の構成を備えることにより、白色布地より作成された仏衣に、襟部分の前左身頃に対応する左側部分において刺繍により形成された第一図柄模様及び襟部分の前右身頃に対応する右側部分において刺繍により形成された第二図柄模様を設けているので、仏衣の着装状態において第一及び第二図柄模様が襟部分の左右両側に表出するようになる。
【００１１】
そのため、着装状態を全体として見た場合には従来の白装束と同様の印象を与えることができ、故人の顔に近づいて別れを惜しむ場合には故人の顔面を囲むように配された第一及び第二図柄模様が自然と目に入って豊かな彩りを添えるようになり、従来の白装束では得られなかった装飾効果を加味することができる。
【００１２】
また、第一及び第二図柄模様に含まれる一連の文字列が故人を囲むように表示されており、縦書きの文章と同様に左側から右側にかけて読みやすいように配列されているので、例えば、遺族の感情を表現した文字列を故人の相貌とともに見ることで故人に対する遺族の感謝の気持ちをより深いものにすることができる。
【００１３】
そして、第一図柄模様を、襟部分の長手方向の中心位置からの間隔が第二図柄模様よりも小さくなるように設定し、第一図柄模様の文字列を、襟部分の左側部分の上に右側部分を交差するように重ね合わせた着装状態においてすべて表出する長さに設定すれば、仏衣の着装状態において第一図柄模様が第二図柄模様よりも上側に設定されるようになり、第一図柄模様の文字列が先に目に入るようになって一連の文字列を自然に読み取れるようになる。
【００１４】
また、第二図柄模様の文字列を、襟部分の左側部分の上に右側部分を交差するように重ね合わせた着装状態において少なくとも交差部分まで表示されるように設定すれば、第一図柄模様の文字列とともに故人の顔をバランスよく囲むように配置されて、一連の文字列を読みやすくなる。
【図面の簡単な説明】
【００１５】
【図１】本考案に係る仏衣に関する正面図である。
【図２】襟部分に関する一部拡大図である。
【図３】仏衣を着装した状態における襟部分に関する一部拡大図である。
【図４】仏衣を着装した故人を納棺した状態に関する平面図である。
【考案を実施するための形態】
【００１６】
以下、本考案に係る実施形態について詳しく説明する。なお、以下に説明する実施形態は、本考案を実施するにあたって好ましい具体例であるから、技術的に種々の限定がなされているが、本考案は、以下の説明において特に本考案を限定する旨明記されていない限り、これらの形態に限定されるものではない。
【００１７】
図１は、本考案に係る仏衣に関する正面図である。仏衣１は、白色布地を縫製して作成されており、公知の着物と同様に、前身頃（前左身頃２及び前右身頃３）及び後身頃の身頃部分、左右の前身頃に並列して縫着された一対の袵部分４、前身頃から袵部分にかけて上部に縫着された襟部分５、並びに、身頃部分の左右両側に縫着された袖部分６及び７を備えている。
【００１８】
襟部分５には、中心位置（身頃部分の背縫に対応した位置）から前左身頃２に対応した左側部分５ａに第一図柄模様８が刺繍により形成されており、前右身頃３に対応した右側部分５ｂに第二図柄模様９が刺繍により形成されている。これらの図柄模様は、花木模様や蔓草模様等の葬儀に相応しい模様が用いられ、後述するように、一連の文字列が模様と一体化するように表示されている。
【００１９】
図２は、襟部分５に関する一部拡大図である。第一図柄模様８は、襟部分５の中心位置Ｔ（背縫の線Ｌに対応する位置）から間隔Ｄ１を置いた位置から襟先に向かって形成されており、模様の中には「いつも」という縦書きの文字列８ａが含まれている。第二図柄模様９は、襟部分５の中心位置Ｔから間隔Ｄ２を置いた位置から襟先に向かって形成されており、模様の中には「ありがとう」という縦書きの文字列９ａが含まれている。文字列８ａ及び９ａは、「いつもありがとう」といった遺族の気持ちを表現した一連の文字列を分割して構成されている。
【００２０】
間隔Ｄ１は、間隔Ｄ２よりも小さくなるように設定されており、図２で見ると、左側部分の第一図柄模様８の先端が右側部分の第二図柄模様９の先端よりも上方に位置している。また、第一図柄模様８の文字列についても第二図柄模様９の文字列よりも上方に位置するようになっている。
【００２１】
図３は、仏衣１を着装した状態における襟部分５に関する一部拡大図である。着装状態では、襟部分５の左側部分５ａの上に右側部分５ｂが交差するように重なり合うようになる。そのため、着装された仏衣に向かって右側には第一図柄模様８が配され、向かって左側には第二図柄模様９が配される。
【００２２】
そして、第一図柄模様８は、左側部分５ａと右側部分５ｂとの交差部位まで形成されており、襟先側の一部の模様が右側部分５ｂに隠れるようになっている。また、第二図柄模様９は、左側部分５ａと右側部分５ｂとの交差部位まで形成されており、そのため、襟部分５が交差するＶ字状の部分に連続して図柄模様が表出するようになる。したがって、仏衣を着装した故人の顔に近づいた位置で見ると、故人の顔の周囲が図柄模様で彩られた状態となる。
【００２３】
また、第一図柄模様８の中に含まれる文字列８ａは、左側部分５ａと右側部分５ｂとの交差部位に隠れないようにすべて表出する位置に表示されており、第二図柄模様９の中に含まれる文字列９ａは、交差部位まで表示されている。そして、第一図柄模様８が第二図柄模様９よりも上方に位置しているため、向かって右側の文字列８ａと向かって左側の文字列９ａは、縦書きの文章を読むように右側から左側に向かって自然と目に入るようになる。したがって、遺族が故人の顔に近づけていくと、図柄模様に彩られた中に感謝の言葉が目に入るようになり、故人に対する感謝の気持ちをより深めることができる。
【００２４】
図４は、仏衣を着装した故人を棺１０に納棺した状態に関する平面図である。棺１０には、故人の顔に対向した位置に観音開きの一対の扉１１が取り付けられており、扉１１を開くことで、開口部１２において故人の顔と対面可能な状態となる。その際に、図３で説明したように、第一図柄模様８及び第二図柄模様９が故人の顔の周囲に彩りを添えた状態となり、別れを惜しむために故人の顔に近づいていくと、第一図柄模様８及び第二図柄模様９の文字列が目に入るようになって故人に対する追悼の念をさらに深めるようになる。
【００２５】
以上説明したように、本考案に係る仏衣は、従来の白装束と同様の厳粛な雰囲気を備えるとともに、納棺の際に故人の顔に近づいて別れを惜しむ場面では、図柄模様による装飾効果や文字列により感謝や追悼といった遺族の感情に配慮することができる。
【符号の説明】
【００２６】
１    仏衣
２    前左身頃
３    前右身頃
４    袵部分
５    襟部分
６    袖部分
７    袖部分
８    第一図柄模様
９    第二図柄模様
【図１】
0003155350.tif 000003
【図２】
0003155350.tif 000004
【図３】
0003155350.tif 000005
【図４】
0003155350.tif 000006